(57)【要約】【課題】軽量、かつ簡単な構成を有し、組み立てが容易である仕切りスタンドを提供する。【解決手段】袋部材４が被せられ、袋部材４を保持する枠体１と、枠体１を起立させる支持部２とを備え、枠体１が袋部材４に倣う形状を有し、袋部材４の内側から袋部材４を張られた状態で保持することによって、空間を仕切る。【選択図】図５
0003227498.tif 000002
【実用新案登録請求の範囲】
【請求項１】
袋部材が被せられ、張られた状態で前記袋部材を保持する保持枠と、
前記保持枠を起立させる支持部と
を備えることを特徴とする仕切りスタンド。
【請求項２】
前記保持枠は倒立のＵ字状であり、
前記保持枠の両端部と夫々係合し、前記支持部に取り付けられて前記保持枠の起立を補助する補助部を備えることを特徴とする請求項１に記載の仕切りスタンド。
【請求項３】
前記支持部は、互いに平行をなして延びる一対の脚部と
前記一対の脚部と交差する方向に延びており、前記一対の脚部を連絡する連結部とを備えることを特徴とする請求項１又は２に記載の仕切りスタンド。
【請求項４】
前記補助部は前記脚部と係合しており、摺動可能であることを特徴とする請求項２に記載の仕切りスタンド。
【請求項５】
前記補助部は前記保持枠の端部が挿入される挿入孔を有し、
前記脚部は前記保持枠の端部が挿入される複数の貫通孔を有し、
前記複数の貫通孔は、前記脚部の長手方向に並設されていることを特徴とする請求項２に記載の仕切りスタンド。
【請求項６】
被せられた前記袋部材を、前記保持枠との間で挟持する挟持部材を備えることを特徴とする請求項１から５の何れか一項に記載の仕切りスタンド。
【請求項７】
前記袋部材は、透明又は半透明であることを特徴とする請求項１から６の何れか一項に記載の仕切りスタンド。
【考案の詳細な説明】
【技術分野】
【０００１】
本考案は仕切りスタンドに関する。
【背景技術】
【０００２】
従来、簡単に組み立てて、空間を区切ることができる、簡易式の間仕切り装置が普及してある。
【０００３】
例えば、特許文献１には、２本の柱部材と、各柱部材を直立させる脚部材と、柱部材間にて上側及び下側に夫々横架されたバーと、前記上側のバー及び前記下側のバーに架設された生地とを有する間仕切り装置が開示されている。
【先行技術文献】
【特許文献】
【０００４】
【特許文献１】特開２０２０−４５７２５号公報
【考案の概要】
【考案が解決しようとする課題】
【０００５】
一方、特許文献１の間仕切り装置は、生地が、上側のバー及び下側のバーに、縫い止め、フック、面ファスナー等によって取り付けられている。このため、特許文献１の間仕切り装置は、生地を上側のバー及び下側のバーに取り付ける際、手間がかかると言う問題がある。また、洗濯、交換のために生地を取り外す際にも、同様の問題が生じる。
【０００６】
本考案は、斯かる事情に鑑みてなされたものであり、その目的とするところは、軽量、かつ簡単な構成を有し、組み立てが容易である仕切りスタンドを提供することにある。  
【課題を解決するための手段】
【０００７】
本考案に係る仕切りスタンドは、袋部材が被せられ、張られた状態で前記袋部材を保持する保持枠と、前記保持枠を起立させる支持部とを備えることを特徴とする。
【０００８】
本考案にあっては、前記保持枠に前記袋部材が被された場合、前記保持枠が斯かる袋部材を張られた状態で保持する。また、前記支持部は前記保持枠及び張られた状態の袋部材を起立させる。これにより、例えば、仕切りスタンドに対して両側の人の間を仕切り、飛沫が飛び散ることを防止できる。
【考案の効果】
【０００９】
本考案によれば、軽量、かつ簡単な構成を有し、組み立てが容易である仕切りスタンドを提供できる。
【図面の簡単な説明】
【００１０】
【図１】実施の形態１に係る仕切りスタンドの外見を示す斜視図である。
【図２】支持部を示す斜視図である。
【図３】補助部を示す斜視図である。
【図４】補助部と脚部の係合部との係合を説明する断面図である。
【図５】実施の形態１の仕切りスタンドの使用例を例示する例示図である。
【図６】仕切りスタンドの他の使用例を例示する例示図である。
【図７】実施の形態２に係る仕切りスタンドの外見を示す斜視図である。
【図８】仕切りスタンドの上部を拡大して示す拡大図である。
【図９】図８のI Ｘ−I Ｘ線による縦断面図である。
【考案を実施するための形態】
【００１１】
以下に、本考案の実施の形態に係る仕切りスタンドを図面に基づいて詳述する。
【００１２】
図１は、実施の形態１に係る仕切りスタンド１００の外見を示す斜視図である。仕切りスタンド１００は袋部材（図５参照）を用いていわゆる空間を区切る仕切りとしての役割をなす。
仕切りスタンド１００は、袋部材が被される枠体１（保持枠）と、枠体１を起立させる支持部２と、枠体１の起立を補助する２つの補助部３とを備える。
【００１３】
枠体１は、例えばＵ字状に屈曲成形された金属製の丸棒の部材である。枠体１では、両端部が支持部２によって保持されている。
【００１４】
図２は、支持部２を示す斜視図である。
支持部２は、互いに平行をなして延びる一対の脚部２１と、一対の脚部２１を連結する連結部２２とを備える。連結部２２は一対の脚部２１の並設方向に延びる。
【００１５】
各脚部２１は、一方向に長い矩形の平板であり、一側の長辺に沿って形成された係合部２２１を有している。一対の脚部２１は略等しい寸法を有する。係合部２２１は、脚部２１の前記一側の長辺部分をＵ字形に屈曲させたものである。連結部２２は細長い長方形の平板である。
【００１６】
支持部２は、一対の脚部２１を、係合部２２１を外向きとして平行に並べ、内側で対向する各脚部２１の長辺同士の中央部を連結部２２で連結して構成されている。支持部２は、全体としてＩ字形状をなす。支持部２は、例えば一枚の金属板の打ち抜きにより一体形成できる。
【００１７】
各脚部２１では、係合部２２１の扁平部に、２つの貫通孔２２２が形成されている。各貫通孔２２２は係合部２２１を貫通する。２つの貫通孔２２２は、円形であり、係合部２２１の長さ方向に隔てて並設されている。例えば、２つの貫通孔２２２は係合部２２１の一端部及び中間部に夫々形成されている。各貫通孔２２２の径は、枠体１の径よりも大きく、枠体１の両端部は、夫々の脚部２１の貫通孔２２２に挿入されている。
【００１８】
図３は、補助部３を示す斜視図である。図３Ａは、補助部３を一方向から見た斜視図であり、図３Ｂは、補助部３を前記一方向と反対方向から見た斜視図である。各脚部２１には夫々補助部３が取り付けられており、枠体１の両端部は、夫々補助部３を介して各脚部２１の貫通孔２２２に挿入されている（図１参照）。
２つの補助部３は同じ形状であるので、以下においては、一方の補助部３についてのみ説明する。
【００１９】
補助部３は、屈曲した矩形の金属板材からなり、縦断面視クランク形をなす。補助部３は４つの角にＲ面取りが施されている。
詳しくは、補助部３は、互いに平行をなす第１保持板３２、第２保持板３３及び受け板３４を有している。第１保持板３２、第２保持板３３及び受け板３４は一方向に長い矩形である。
【００２０】
第１保持板３２及び第２保持板３３の一側の長辺同士は第１連結板３１によって連結されている。また、第２保持板３３及び受け板３４の他側の長辺同士は第２連結板３５によって連結されている。
【００２１】
即ち、第１連結板３１は矩形板部であり、第１連結板３１の一長辺は、第１保持板３２の一長辺と連結され、第１連結板３１の他長辺は第２保持板３３の一長辺と連結されている。また、第２連結板３５は短冊状であり、第２連結板３５の一長辺は、第２保持板３３の他長辺と連結され、第２連結板３５の他長辺は受け板３４の他長辺と連結されている。一方、第１保持板３２は他長辺側の辺縁部が第２保持板３３側に屈曲している。
【００２２】
従って、第１連結板３１により第１保持板３２及び第２保持板３３の間の間隔が保たれ、第２連結板３５により第２保持板３３及び受け板３４の間の間隔Ｇ（図３Ａ参照）が保たれる。第１保持板３２及び第２保持板３３間の間隔は、第２保持板３３及び受け板３４間の間隔Ｇより広い。また、間隔Ｇは、各脚部２１の係合部２２１の高さよりも大きい。
【００２３】
第１保持板３２及び第２保持板３３は、相互対応方向における対応する位置に第１保持孔３２１（挿入孔）及び第２保持孔３３１（挿入孔）が夫々形成されている。第１保持孔３２１は第１保持板３２の中間部に形成され、第２保持孔３３１は第２保持板３３の中間部に形成されている。第１保持孔３２１及び第２保持孔３３１は、夫々第１保持板３２及び第２保持板３３を厚み方向に貫通している。第１保持孔３２１及び第２保持孔３３１の径は、例えば、夫々５．１ｍｍ及び５．２ｍｍである。
【００２４】
図４は、補助部３と脚部２１の係合部２２１との係合を説明する断面図である。図４は、図１の破線円部分の縦断面図である。
上述の如く、第２保持板３３と受け板３４との間隔Ｇが、脚部２１の係合部２２１の高さＨよりも大きく、間隔Ｇに係合部２２１が配置され、係合部２２１と補助部３とが係合している。
【００２５】
上述の如く、脚部２１の一側の長辺部分をＵ字形に屈曲させることによって係合部２２１が形成されており、間隔Ｇに係合部２２１が配置された場合、脚部２１の一側の長辺が第２保持板３３、第２連結板３５及び受け板３４によって囲まれる。よって、作業者又はユーザの手が脚部２１の前記一側の長辺に触れて傷を負うことを未然に防止できる。
なお、係合部２２１の扁平部と対向するように、第１保持板３２及び第２保持板３３が配置されている。
【００２６】
この際、第１保持板３２の第１保持孔３２１と、第２保持板３３の第２保持孔３３１と、係合部２２１の中間部の貫通孔２２２とは、上下方向において対応する位置にある。枠体１の端部は、第１保持板３２の第１保持孔３２１及び第２保持板３３の第２保持孔３３１を通って、係合部２２１の貫通孔２２２に挿入されている。受け板３４は枠体１の端部を受け止めている。
【００２７】
即ち、仕切りスタンド１００では、作業者は、各補助部３の第１連結板３１同士が向き合うように、第１連結板３１を内側にして、補助部３を夫々各脚部２１の係合部２２１に係合させる。この際、作業者は、第１保持板３２の第１保持孔３２１と、第２保持板３３の第２保持孔３３１と、係合部２２１の貫通孔２２２とを上下方向において対応する位置に合わせる。次いで、作業者は、枠体１の各端部を、第１保持孔３２１、第２保持孔３３１及び貫通孔２２２に挿通させる。仕切りスタンド１００はこのような簡単な作業によって、容易に組み立てられる。
【００２８】
これによって、実施の形態１の仕切りスタンド１００においては、各補助部３の第１保持板３２は前記他長辺側を外向きにして配置される。また、上述の如く、第１保持板３２の前記他長辺側の辺縁部は第２保持板３３側に屈曲している。従って、作業者又はユーザの手が第１保持板３２の他長辺に触れて傷を負うことを極力抑制することができる。
【００２９】
更に、上述の如く、実施の形態１の仕切りスタンド１００においては、脚部２１の係合部２２１の高さＨが、第２保持板３３と受け板３４との間隔Ｇよりも小さい。例えば、仕切りスタンド１００が平らの設置面に設置される場合、係合部２２１の端と斯かる設置面との間には、受け板３４の厚み分よりすこし広い隙間が形成される（図４参照）。よって、補助部３と係合部２２１とが係合した場合も、受け板３４、脚部２１及び連結部２２が面一をなし、斯かる設置面に対して略垂直に枠体１が起立される。
【００３０】
かつ、上述の如く、実施の形態１の仕切りスタンド１００においては、第１保持孔３２１の径よりも第２保持孔３３１の径が大きい。一方、作業者が枠体１の各端部を挿通させる場合において、第１保持孔３２１に比べて、第２保持孔３３１の方が孔を視認し難い。これに鑑み、実施の形態１の仕切りスタンド１００においては、第１保持孔３２１の径よりも第２保持孔３３１の径を大きくして作業性を高めている。
【００３１】
図５は、実施の形態１の仕切りスタンド１００の使用例を例示する例示図である。図５においては、仕切りスタンド１００の枠体１に袋部材４を被せた状態を示している。
【００３２】
袋部材４は、例えば枠体１に倣う矩形であり、ポリエチレン袋であって、透明である。このように、袋部材４が枠体１に倣う形状であるので、枠体１は袋部材４の内側から、張られた状態で袋部材４を保持している。
【００３３】
枠体１の大きさは市販品の袋に合わせてある。例えば、枠体１の高さは８２１ｍｍであり、幅は６２５ｍｍである。このような場合、市販品の４５Ｌのポリエチレン袋を袋部材４として用いることができる。
【００３４】
以上の如く、仕切りスタンド１００は、簡単な構成にて容易に組み立てができ、市販品の袋部材４を被せる簡単な操作だけで、空間を区切る仕切りとして使用できる。例えば、透明な袋部材４を用いる場合には、対面式の相談窓口、診療所、レジ等に仕切りスタンド１００を設置することによって、仕切りスタンド１００に対する両側の人の間で咳又はくしゃみによって飛沫が飛び散ることを防止できる。よって、飛沫によるウィルス感染等を未然に防止できる。
また、相手の顔を視認する必要が無い場合は、半透明又は不透明な袋部材４を用いることもできる。
【００３５】
また、実施の形態１の仕切りスタンド１００は、中空である枠体１が張られた状態で袋部材４を保持することによって、対面する二人の間を仕切っている。よって、仕切りスタンド１００の軽量化を図ることができ、仕切りスタンド１００の持ち運びが容易になる。
【００３６】
また、補助部３は上下方向に離れた第１保持板３２及び第２保持板３３にて枠体１を保持している。これによって、枠体１の保持箇所を増やすことができ、確実に枠体１の起立を補助できる。
【００３７】
また、実施の形態１の仕切りスタンド１００は、補助部３の受け板３４が枠体１の端部を受け止める。よって、枠体１の端部が仕切りスタンド１００の設置面に当たらず、仕切りスタンド１００の設置面が枠体１の端部によって傷つくことを未然に防止できると共に、斯かる設置面上で仕切りスタンド１００を滑らせて移動させることができる。
【００３８】
以上においては、係合部２２１の２つの貫通孔２２２のうち、前記中間部の貫通孔２２２を用いる場合について説明した。しかし、係合部２２１の前記一端部の貫通孔２２２を使えば異なる形態での仕切りとしても利用し得る。
【００３９】
図６は、仕切りスタンド１００の他の使用例を例示する例示図である。
上述の如く、脚部２１の係合部２２１に補助部３が係合しており、補助部３が係合部２２１に案内されて摺動可能である。よって、第１保持板３２の第１保持孔３２１及び第２保持板３３の第２保持孔３３１が係合部２２１の一端部の貫通孔２２２と対応するように、補助部３を摺動させることができる。即ち、必要に応じて、支持部２を動かさず、図６に示すように、枠体１（袋部材４）の位置のみを調整することができる。
【００４０】
以上においては、係合部２２１の一端部及び中間部の二箇所にのみ貫通孔２２２が形成されている場合について説明したが、これに限定されるものではない。例えば、係合部２２１の一端部、他端部及び中間部の三箇所に貫通孔２２２が形成されても良く、三箇所以上に貫通孔２２２が形成されても良い。
【００４１】
（実施の形態２）
図７は、実施の形態２に係る仕切りスタンド１００Ａの外見を示す斜視図である。
実施の形態２の仕切りスタンド１００Ａは、実施の形態１と同様、枠体１と、支持部２と、２つの補助部３とを備える。更に、実施の形態２の仕切りスタンド１００Ａは、袋部材４Ａ及び挟持部材５を備える。
なお、枠体１、支持部２及び補助部３については実施の形態１にて既に説明しており、以下では詳しい説明を省略する。
【００４２】
袋部材４Ａは、枠体１の幅より少し広い幅を有し、枠体１の高さより少し大きい深さを有する、矩形の袋体である。袋部材４Ａは、例えばポリエチレン製であって、透明である。
【００４３】
挟持部材５は、枠体１に袋部材４Ａが被された場合、袋部材４Ａを枠体１に固定させる。図８は、仕切りスタンド１００Ａの上部を拡大して示す拡大図であり、図９は、図８のI Ｘ−I Ｘ線による縦断面図である。
【００４４】
挟持部材５は、例えば、金属、ゴム、又はプラスチック製であり、枠体１のうち、支持部２の連結部２２と対向する上端部の一部に取り付けられている。挟持部材５は一部を切り欠いた略円筒形状を有す部材である。即ち、挟持部材５は、２つの対向部分が互いに接近する向きに付勢する弾性体である。
【００４５】
上述の如く、挟持部材５は、袋部材４Ａの外側から袋部材４Ａを挟持する。即ち、図９に示すように、挟持部材５は、袋部材４Ａの外側から枠体１に外嵌され、この際、前記２つの対向部分が互いに接近する方向に付勢する。よって、袋部材４Ａは、挟持部材５及び枠体１の間に挟持される。従って、袋部材４Ａが風などによって脱がれることを防止できる。
【００４６】
また、仕切りスタンド１００Ａにおいては、袋部材４Ａが挟持部材５によって枠体１に挟持されているので、枠体１から袋部材４Ａを取り外す際、袋部材４Ａが裏返される。よって、仕切りスタンド１００Ａの使用時に表であった袋部材４Ａの外側面、即ち飛沫の付いている面を裏側にして袋部材４Ａを取り外すことができ、取り外し作業の際に作業者が袋部材４Ａの飛沫に含まれるウィルス等にさらされることを未然に防止できる。取り外し作業の最後に、作業者は挟持部材５の挟持力よりも大きい力で引っ張ることによって挟持部材５を枠体１から外すことができる。また、この際、飛沫が付いている可能性のある挟持部材５は袋部材４Ａ内に入れられる。従って、飛沫が付いている袋部材４Ａ及び挟持部材５を、安全且つ衛生的に収集できる。
【００４７】
以上においては、挟持部材５が枠体１の上端部に取り付けられている場合について説明したが、これに限定されるものではなく、枠体１の何処であっても良い。
【００４８】
また、仕切りスタンド１００Ａにおいては挟持部材５が以上の記載に限定されるものではない。例えば、挟持部材５の代わりに、紙留め用クリップ、洗濯バサミ等（以下、代用品と言う）を用いても良い。この際においても、ユーザが市販の前記代用品を任意に用いることによって、仕切りスタンド１００Ａの使用時に表であった袋部材４Ａの外側面を裏返して、袋部材４Ａを取り外すことができるという効果を得られることは言うまでもない。
【００４９】
今回開示した実施の形態は、全ての点で例示であって、制限的なものではないと考えられるべきである。各実施例にて記載されている技術的特徴は互いに組み合わせることができ、本考案の範囲は、実用新案登録請求の範囲内での全ての変更及び実用新案登録請求の範囲と均等の範囲が含まれることが意図される。
【符号の説明】
【００５０】
１  枠体（保持枠）
２  支持部
３  補助部
４，４Ａ  袋部材
５  挟持部材
２１  脚部
２２  連結部
３２１  第１保持孔（挿入孔）
３３１  第２保持孔（挿入孔）
２２２  貫通孔
１００，１００Ａ  仕切りスタンド
【図１】
0003227498.tif 000003
【図２】
0003227498.tif 000004
【図３】
0003227498.tif 000005
【図４】
0003227498.tif 000006
【図５】
0003227498.tif 000007
【図６】
0003227498.tif 000008
【図７】
0003227498.tif 000009
【図８】
0003227498.tif 000010
【図９】
0003227498.tif 000011